(57)【要約】  本発明は、使用時にはフックが取付孔から外れにくく、廃棄時にはフックと板材の分別が容易である商品展示装置を提供することを目的とする。板材にフックを取り付ける際に、フック取付孔１２に後部挟持片部２３を挿入し、フックを一方向に回転させる。フックは、ストッパ片２４が当接部１２３に当接した時点で回転を停止する。これにより、前部挟持片部２２と後部挟持片部２３によってフック取付孔１２周辺の板材が挟持され、フックが通常姿勢で固定される。こうして通常姿勢にあるフックは、逆方向に回転させるだけで、フック取付孔１２からフックを取り外すことができるため、フックと板材の分別廃棄が容易である。
2012039470.tif 000002
【特許請求の範囲】
【請求項１】
フック取付孔を有する板材と、
前記板材のフック取付孔に着脱可能に取り付けられるフックとを有し、
前記フックが、
被展示物を掛けるためのフック本体と、
前記フック本体の基部に設けられた、前記板材の裏面に沿う方向に延び、且つ前記フックが所定の取付姿勢にあるときにのみ前記フック取付孔を通過可能な形状を有する後部挟持片部と、
前記フック本体の基部に前記後部挟持片部よりも前記板材の厚さ分だけ前方に離間するように設けられた、前記板材の表面に沿う方向に延び、且つ前記取付姿勢から一方向に所定角度回転させた通常姿勢にあるときに前記フック取付孔を通過不能な形状を有する前部挟持片部と、
前記前部挟持片部と前記後部挟持片部の間に設けられたストッパ片とを備え、
前記フック取付孔が、
前記フックが前記通常姿勢にあるときに前記ストッパ片が当接し、前記フックがさらに前記一方向に回転することを阻止する当接部を備えることを特徴とする商品展示装置。
【請求項２】
前記後部挟持片部の前面には、前記板材の裏面に当接する凸部が設けられていることを特徴とする請求項１に記載の商品展示装置。
【請求項３】
前記フック取付孔が、更に、前記フックが取付姿勢にあるときに前記ストッパ片が当接し、前記フックが逆方向に回転することを阻止する第２当接部を有することを特徴とする請求項１又は２に記載の商品展示装置。
【発明の詳細な説明】
【技術分野】
【０００１】
本発明は、商品吊り下げ用のフックを有する商品展示装置に関する。
【背景技術】
【０００２】
従来より、商品を販売するために展示する商品展示装置として、平板状の板材に複数のフックを取り付けたものがある。通常、板材とフックは異なる材質から成るため、上記商品展示装置は、分別廃棄が容易なように板材に対してフックを着脱できるように構成されている。例えば、特許文献１には、板材に縦横の寸法が異なる取付孔を設け、フックを通常姿勢（フックを使用する状態の姿勢）から９０°回転させた姿勢（取付姿勢）で当該フックの基部を取付孔に挿入した後、フックを逆方向に回転させて通常姿勢にすることにより、板材にフックを着脱可能に取り付けるようにした商品展示装置が開示されている。【０００３】
この商品展示装置では、フック基部に、板材の厚さ程度だけ前後に離間した２枚の係合片が設けられており、フックが通常姿勢にあるときは２枚の係合片によって板材のうち取付孔の周縁部が挟持され、フックを通常姿勢から９０°回転させたときは後側の係合片のみ取付孔を通過させることができる。【０００４】
また、板材の裏面には取付孔の上方に係合溝が形成されており、フックの後側の係合片を取付孔に挿入した後、該フックを９０°回転させると共に前記後側の係合片から手前側（板材側）に突出する突起を係合溝に嵌めることによりフックが通常姿勢からいずれの方向にも回転することが防止され、その姿勢が維持される。
【先行技術文献】
【特許文献】
【０００５】
【特許文献１】特開平11-18890号公報
【発明の概要】
【発明が解決しようとする課題】
【０００６】
このように、特許文献１の商品展示装置は、後側の係合片に設けた突起と板材の係合溝を係合させることで、フックがいずれの方向にも回転して板材から外れることを防止している。しかし、分別廃棄を容易にするために係合溝を浅くして係合溝と突起の係合を緩くすると、比較的小さな衝撃で係合溝と突起の係合が外れてしまう。また、係合溝を深くすると共に突起を長くすると、係合が外れにくくなる反面、フックと板材を分離しにくくなり、分別に手間がかかる。【０００７】
本発明は、上記のような点に鑑みて成されたものであり、その目的とするところは、使用時にはフックがその取付孔から外れにくく、廃棄時にはフックと板材の分別が容易である商品展示装置を提供することにある。
【課題を解決するための手段】
【０００８】
上記課題を解決するために成された本発明に係る商品展示装置は、
フック取付孔を有する板材と、
前記板材のフック取付孔に着脱可能に取り付けられるフックとを有し、
前記フックが、
被展示物を掛けるためのフック本体と、
前記フック本体の基部に設けられた、前記板材の裏面に沿う方向に延び、且つ前記フックが所定の取付姿勢にあるときにのみ前記フック取付孔を通過可能な形状を有する後部挟持片部と、
前記フック本体の基部に前記後部挟持片部よりも前記板材の厚さ分だけ前方に離間するように設けられた、前記板材の表面に沿う方向に延び、且つ前記取付姿勢から一方向に所定角度回転させた通常姿勢にあるときに前記フック取付孔を通過不能な形状を有する前部挟持片部と、
前記前部挟持片部と前記後部挟持片部の間に設けられたストッパ片とを備え、
前記フック取付孔が、
前記フックが前記通常姿勢にあるときに前記ストッパ片が当接し、前記フックがさらに前記一方向に回転することを阻止する当接部を備えることを特徴とする。
【発明の効果】
【０００９】
本発明に係る商品展示装置では、板材にフックを取り付ける際に、まずフックを取付姿勢にした状態でフック取付孔に後部挟持片部を挿入し、フックを前記一方向に回転させる。フックは、ストッパ片が当接部に当接した時点で回転を停止する。これが通常姿勢である。これにより、前部挟持片部と後部挟持片部によってフック取付孔周辺の板材が挟持され、フックが通常姿勢でフック取付孔に固定される。このように本発明によれば、ストッパ片を設けたので、フックを取付姿勢から一方向に回転させて通常姿勢にした後、さらにその方向に過回転してしまうことがない。従って、フック取付孔から不用意にフックが外れてしまうことを防止できる。しかも、通常姿勢にあるフックを逆方向に回転させるだけで、フック取付孔からフックを取り外すことができるため、フックと板材の分別廃棄が容易である。
【図面の簡単な説明】
【００１０】
【図１】本発明の実施例１に係る商品展示装置を説明する図であり、(ａ)は正面図、(ｂ)は側面図である。
【図２】実施例１のフックを説明する図であり、(ａ)は正面図、(ｂ)は側面図、(ｃ)は平面図である。
【図３】実施例１の板材の正面図。
【図４】実施例１のフック取付孔の正面図。
【図５】実施例１のフック基部（前部挟持片部を除く）とフック取付孔の位置関係を説明する正面図であり、(ａ)は固定前、(ｂ)は固定時を示す。
【図６】実施例２のフックを説明する図であり、(ａ)は正面図、(ｂ)は側面図、(ｃ)は平面図、(ｄ)は背面図である。
【図７】実施例２の板材の正面図。
【図８】実施例２のフック取付孔の正面図。
【図９】実施例２のフック基部（前部挟持片部を除く）とフック取付孔の位置関係を説明する正面図であり、(ａ)は固定前、(ｂ)は固定時を示す。
【図１０】板材を有する紙箱の斜視図。
【発明を実施するための形態】
【００１１】
以下、本発明に係る商品展示装置の実施例について図面を参照しつつ説明する。
【実施例１】
【００１２】
本実施例の商品展示装置１０は、段ボール製又は厚紙製の板材１１と、この板材１１のフック取付孔１２に着脱可能に取り付けられるフック２０とを有する（図１参照）。【００１３】
フック２０は、図２に示すように、被展示物が掛けられる棒状のフック本体２１と、フック本体２１の基部に前記板材の厚さ分だけ前後に離間するように円柱状のスペーサ２５により連結された前部挟持片部２２及び後部挟持片部２３と、スペーサ２５から径方向に突出するように設けられたストッパ片２４とを備える。フック本体２１の先端は、掛けた被展示物が抜け落ちないように上方に曲折されており、この曲折部２１ａが上を向いた姿勢が、フック２０の通常姿勢となる。以下の説明では、特に断らない限り、板材１１の正面から見た通常姿勢のフック２０を基準に上下方向や左右方向等という。通常姿勢からフック本体２１を中心に本実施例では反時計回りの方向に９０°回転させた姿勢がフック２０の取付姿勢となる。なお、フック２０は各パーツを樹脂成形した後、接着剤等で固定して作製してもよいが、１個あたりの製造コストを下げるためには全体を合成樹脂で一体成形する方が望ましい。【００１４】
前部挟持片部２２はスペーサ２５を中心に左右方向に長く延びる長円状を有する。後部挟持片部２３はスペーサ２５を中心に上下方向に長く延びる長方形状を有し、ストッパ片２４は後部挟持片部２３と前部挟持片部２２の間のスペーサ２５の上下からそれぞれ突出するように設けられている。また、後部挟持片部２３の上下両端部の前面にはそれぞれ凸部２３２が形成されている。凸部２３２は後部挟持片部２３の幅いっぱいに設けられているが、その端部（図２(c)では右側）には高さが徐々に低くなるように傾斜面２３３が設けられている。凸部２３２の高さは、前部挟持片部２２と後部挟持片部２３の間の距離（すなわち、スペーサ２５の高さ）からその凸部２３２の高さを減じた値が、このフック２０を取り付けようとする板材１１の厚さよりもやや小さくなるように設定する。【００１５】
前部挟持片部２２の形状は、少なくともフック２０が通常姿勢にあるときにフック取付孔１２に入り込まないものであればよいが、本実施例ではフック２０の固定をより確実にするために、通常姿勢、取付姿勢のいずれにおいても前部挟持片部２２はフック取付孔１２全体を覆う大きさにした。また、これにより、フック２０が通常姿勢のときにフック取付孔１２が外部から見えず、外観上優れるという効果もある。【００１６】
フック本体２１の前部挟持片部２２の根元側の上下には、フック本体２１を中心に対称に一対の突出部２１１が設けられている。これにより、フック２０を回転させる際に、突出部２１１に指を掛けることができる。【００１７】
板材１１に設けられたフック取付孔１２は、図３、図４に示すように、横長の長方形状の主部１２１と、その上辺左部及び下辺右部に連なる切欠部１２２とから成る貫通孔である。主部１２１は、フック２０の後部挟持片部２３と略同じ形状を有し、フック２０が取付姿勢にあるときにのみ後部挟持片部２３は前記フック取付孔１２(主部１２１）を通過する。切欠部１２２は、後部挟持片部２３を主部１２１に挿通した後、フック２０を取付姿勢から一方向に９０°回転させるときにストッパ片２４の移動を許容する形状を有する。また、上辺左部側の切欠部１２２では右端に、下辺右部側の切欠部１２２では左端に、それぞれ上下に延びる直線状の当接部１２３が設けられている。フック２０が通常姿勢にあるとき、ストッパ片２４は当接部１２３に当接する。【００１８】
板材１１にフック２０を取り付ける際には、まず、フック２０を取付姿勢にし、その状態でフック取付孔１２の主部１２１に後部挟持片部２３を挿入する（図５(ａ)参照）。次に、フック２０を取付姿勢から一方向(図５では時計回り方向）に回転させる（図５(ｂ)参照）。フック２０は、ストッパ片２４が当接部１２３に当接した時点で回転を停止し、その回転位置（通常姿勢）が固定される。このとき、後部挟持片部２３の凸部２３２と前部挟持片部２２によってフック取付孔１２周辺の板材１１が挟持され、その摩擦力によってもフック２０がフック取付孔１２に固定される。【００１９】
板材１１からフック２０を取り外す際には、取付時とは逆方向（反時計回り方向）にフック２０を９０°回転させる。これにより、後部挟持片部２３が主部１２１と合致し、主部１２１（フック取付孔１２）から後部挟持片部２３を抜き出すことができる。【００２０】
このように本実施例によれば、ストッパ片２４を設けたので、フック２０を取付姿勢から一方向に回転させて通常姿勢にした後、さらにその方向に過回転してしまうことがない。また、後部挟持片部２３に設けた凸部２３２により、フック２０が確実に板材１１を挟持する。従って、フック取付孔１２から不用意にフック２０が外れてしまうことを防止できる。しかも、通常姿勢にあるフック２０を逆方向に回転させるだけで、フック取付孔１２からフック２０を取り外すことができるため、フック２０と板材１１の分別廃棄が容易である。
【実施例２】
【００２１】
本発明に係る商品展示装置の第２の実施例について図６〜図９を参照しつつ説明する。本実施例のフック４０は実施例１のフック２０と比べると、後部挟持片部４３の形状が異なる（図６(ｄ)参照）。また、それに合わせて、板材３１に設けられたフック取付孔３２の形状も異なる（図７、図８参照）。以下、これらの相違点を中心に説明する。なお、図６〜図９中の構成要素のうち、既に説明した図１〜図５中の構成要素と同一のものには同じ符号を付している。【００２２】
後部挟持片部４３は、スペーサ２５を中心に上下方向に延びる一対のＬ字状片４３１を有する。背面から見て（図６(ｄ)）、下側のＬ字状片４３１は「Ｌ」の字を左右反転させた形状を有し、上側のＬ字状片４３１は下側のＬ字状片４３１を１８０°回転させた形状を有する。各Ｌ字状片４３１と前部挟持片部２２の間であってスペーサ２５の上下にはそれぞれストッパ片２４が設けられている。また、各Ｌ字状片４３１の端部の前面にはそれぞれ凸部４３２が形成されている。図６(ｃ)に示すように、凸部４３２の前面（板材３１に当接する側の面）の左右には傾斜面４３３が設けられている。【００２３】
フック取付孔３２は、図８に示すように、後部挟持片部４３の形状に対応した主部３２１と、その左上部及び右下部に連なる切欠部３２２とから成る貫通孔である。主部３２１は正面から見て、略「Ｚ」の字を横に倒した形状を有する。後部挟持片部４３はフック４０が取付姿勢にあるときにのみ前記フック取付孔３２(主部３２１）を通過する。切欠部３２２は、後部挟持片部４３を主部３２１に挿通した後、フック４０を取付姿勢から一方向に９０°回転させるときにストッパ片２４の移動を許容する形状を有する。また、左上部側の切欠部３２２では右端に、右下部側の切欠部３２２では左端に、それぞれ上下に延びる直線状の第１当接部３２３が設けられている。後部挟持片部４３及び主部３２１を上記形状にしたことにより、ストッパ片２４は、フック取付孔３２内を、第１当接部３２３と、主部３２１の右上部及び左下部（以下、「第２当接部３２４」という）の間で移動可能である。【００２４】
板材３１にフック４０を取り付ける際には、実施例１と同様、まず、フック４０を取付姿勢にしてフック取付孔３２の主部３２１に後部挟持片部４３を挿入する（図９(ａ)参照）。次に、ストッパ片２４が第１当接部３２３に当接するまでフック４０を取付姿勢から一方向（図９では時計回り方向）に回転させる（図９(ｂ)参照）。これにより、後部挟持片部４３の凸部４３２と前部挟持片部２２によってフック取付孔３２周辺の板材３１が挟持され、フック４０が通常姿勢でフック取付孔３２に固定される。【００２５】
板材３１からフック４０を取り外す際には、取付時とは逆方向（反時計回り方向）にフック４０を９０°回転させる。これにより、後部挟持片部４３が主部３２１と合致し、主部３２１（フック取付孔３２）から後部挟持片部４３を抜き出すことができる。このとき、本実施例では図９(ａ)に示すように、ストッパ片２４が主部３２１の第２当接部３２４に当接したところでフック４０の回転が停止する。このため、後部挟持片部４３が主部３２１の位置を行き過ぎることがない。従って、フック取付孔３２からフック４０を取り外しやすい。【００２６】
本発明は上記実施例に限定されるものではなく、本発明の趣旨の範囲で適宜変更が許容される。例えば、板材１１は、図１０に示すように、段ボール又は厚紙を折り曲げて作製した紙箱１３の一部であってもよい。前部挟持片部と後部挟持片部の間には、複数の板材を重ねたものを挟み、これにより各板材を接合してもよい。
上記実施例では、フックが通常姿勢にあるときフック本体の直上及び直下にストッパ片が位置するように構成したが、直上や直下よりもやや一方向寄りにあるとよい。このようにすれば、フックが他方向に回転してしまうことを一層防止できる。
【符号の説明】
【００２７】
１０…商品展示装置
１１、３１…板材
１２、３２…フック取付孔
１２１、３２１…主部
１２２、３２２…切欠部
１２３…当接部
１３…紙箱
２０、４０…フック
２１…フック本体
２１ａ…曲折部
２１１…突出部
２２…前部挟持片部
２３、４３…後部挟持片部
２３２、４３２…凸部
２３３、４３３…傾斜面
２４…ストッパ片
２５…スペーサ
３２３…第１当接部
３２４…第２当接部
４３１…Ｌ字状片
【図１】
2012039470.tif 000003
【図２】
2012039470.tif 000004
【図３】
2012039470.tif 000005
【図４】
2012039470.tif 000006
【図５】
2012039470.tif 000007
【図６】
2012039470.tif 000008
【図７】
2012039470.tif 000009
【図８】
2012039470.tif 000010
【図９】
2012039470.tif 000011
【図１０】
2012039470.tif 000012
【国際調査報告】
2012039470.tif 000013
2012039470.tif 000014